(57)【特許請求の範囲】
【請求項１】
地図に関する情報であり、地点に関する情報である地点情報と、道路に関する情報である道路情報とを有する情報である地図情報が格納される地図情報格納部と、
ユーザの動的な属性に関する条件であり、端末装置への電話の着信の履歴に関する条件、端末装置からの電話の発信の履歴に関する条件、端末装置へのメールの受信の履歴に関する条件、端末装置からのメールの送信の履歴に関する条件のうちのいずれか１以上であるユーザ属性条件が格納される属性条件格納部と、
地図情報を出力する指示である出力指示を受け付ける受付部と、
前記出力指示に応じて、前記地図情報格納部から地図情報を取得し、出力する出力部と、
ユーザの動的な属性に関する情報であり、端末装置への電話の着信の履歴を示す情報である着信履歴情報、端末装置からの電話の発信の履歴を示す情報である発信履歴情報、端末装置へのメールの受信の履歴を示す情報である受信履歴情報、端末装置からのメールの送信の履歴を示す情報である送信履歴情報のうちのいずれか１以上である動的ユーザ属性情報を取得する属性情報取得部と、
前記動的ユーザ属性情報が前記ユーザ属性条件に合致するか否かを判断する判断部と、
前記動的ユーザ属性情報が前記ユーザ属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御部とを備え、
前記出力部は、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行う端末装置。
【請求項２】
地図に関する情報であり、地点に関する情報である地点情報と、道路に関する情報である道路情報とを有する情報である地図情報が格納される地図情報格納部と、
端末装置の動的な属性に関する条件であり、端末装置が情報の受信および送信に使用する電波の状況に関する条件である端末属性条件が格納される属性条件格納部と、
地図情報を出力する指示である出力指示を受け付ける受付部と、
前記出力指示に応じて、前記地図情報格納部から地図情報を取得し、出力する出力部と、
端末装置の動的な属性に関する情報であり、端末装置が情報の受信および送信に使用する電波の状況を示す情報電波状況情報である動的端末属性情報を取得する属性情報取得部と、
前記動的端末属性情報が前記端末属性条件に合致するか否かを判断する判断部と、
前記動的端末属性情報が前記端末属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御部とを備え、
前記出力部は、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行う端末装置。
【請求項３】
地図に関する情報であり、地点に関する情報である地点情報と、道路に関する情報である道路情報とを有する情報である地図情報が格納される地図情報格納部と、
ユーザの動的な属性に関する条件であり、端末装置への電話の着信の履歴に関する条件、端末装置からの電話の発信の履歴に関する条件、端末装置へのメールの受信の履歴に関する条件、端末装置からのメールの送信の履歴に関する条件のうちのいずれか１以上であるユーザ属性条件が格納される属性条件格納部と、
受付部と、出力部と、属性情報取得部と、判断部と、制御部とを用いて行われる地図表示変更方法であって、
前記受付部が、
地図情報を出力する指示である出力指示を受け付ける受付ステップと、
前記出力部が、
前記出力指示に応じて、前記地図情報格納部から地図情報を取得し、出力する出力ステップと、
前記属性情報取得部が、
ユーザの動的な属性に関する情報であり、端末装置への電話の着信の履歴を示す情報である着信履歴情報、端末装置からの電話の発信の履歴を示す情報である発信履歴情報、端末装置へのメールの受信の履歴を示す情報である受信履歴情報、端末装置からのメールの送信の履歴を示す情報である送信履歴情報のうちのいずれか１以上である動的ユーザ属性情報を取得する属性情報取得ステップと、
前記判断部が、
前記動的ユーザ属性情報が前記ユーザ属性条件に合致するか否かを判断する判断ステップと、
前記制御部が、
前記動的ユーザ属性情報が前記ユーザ属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御ステップとを備え、
前記出力ステップでは、
前記出力部が、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行う地図表示変更方法。
【請求項４】
地図に関する情報であり、地点に関する情報である地点情報と、道路に関する情報である道路情報とを有する情報である地図情報が格納される地図情報格納部と、
端末装置の動的な属性に関する条件であり、端末装置が情報の受信および送信に使用する電波の状況に関する条件である端末属性条件が格納される属性条件格納部と、
受付部と、出力部と、属性情報取得部と、判断部と、制御部とを用いて行われる地図表示変更方法であって、
前記受付部が、
地図情報を出力する指示である出力指示を受け付ける受付ステップと、
前記出力部が、
前記出力指示に応じて、前記地図情報格納部から地図情報を取得し、出力する出力ステップと、
前記属性情報取得部が、
端末装置の動的な属性に関する情報であり、端末装置が情報の受信および送信に使用する電波の状況を示す情報電波状況情報である動的端末属性情報を取得する属性情報取得ステップと、
前記判断部が、
前記動的端末属性情報が前記端末属性条件に合致するか否かを判断する判断ステップと、
前記制御部が、
前記動的端末属性情報が前記端末属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御ステップとを備え、
前記出力ステップでは、
前記出力部が、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行う地図表示変更方法。
【請求項５】
地図に関する情報であり、地点に関する情報である地点情報と、道路に関する情報である道路情報とを有する情報である地図情報が格納される地図情報格納部と、
ユーザの動的な属性に関する条件であり、端末装置への電話の着信の履歴に関する条件、端末装置からの電話の発信の履歴に関する条件、端末装置へのメールの受信の履歴に関する条件、端末装置からのメールの送信の履歴に関する条件のうちのいずれか１以上であるユーザ属性条件が格納される属性条件格納部とにアクセス可能なコンピュータを、
地図情報を出力する指示である出力指示を受け付ける受付部、
前記出力指示に応じて、前記地図情報格納部から地図情報を取得し、出力する出力部、
ユーザの動的な属性に関する情報であり、端末装置への電話の着信の履歴を示す情報である着信履歴情報、端末装置からの電話の発信の履歴を示す情報である発信履歴情報、端末装置へのメールの受信の履歴を示す情報である受信履歴情報、端末装置からのメールの送信の履歴を示す情報である送信履歴情報のうちのいずれか１以上である動的ユーザ属性情報を取得する属性情報取得部、
前記動的ユーザ属性情報が前記ユーザ属性条件に合致するか否かを判断する判断部、
前記動的ユーザ属性情報が前記ユーザ属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御部として機能させ、
前記出力部では、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行うためのプログラム。
【請求項６】
地図に関する情報であり、地点に関する情報である地点情報と、道路に関する情報である道路情報とを有する情報である地図情報が格納される地図情報格納部と、
端末装置の動的な属性に関する条件であり、端末装置が情報の受信および送信に使用する電波の状況に関する条件である端末属性条件が格納される属性条件格納部とにアクセス可能なコンピュータを、
地図情報を出力する指示である出力指示を受け付ける受付部、
前記出力指示に応じて、前記地図情報格納部から地図情報を取得し、出力する出力部、
端末装置の動的な属性に関する情報であり、端末装置が情報の受信および送信に使用する電波の状況を示す情報電波状況情報である動的端末属性情報を取得する属性情報取得部、
前記動的端末属性情報が前記端末属性条件に合致するか否かを判断する判断部、
前記動的端末属性情報が前記端末属性条件に合致する場合に、前記出力部が出力している地点情報の表示または非表示を変更する指示である地点情報変更指示、前記出力部が出力している道路情報の色を変更する指示である道路色変更指示、前記出力部が出力している地図情報をスクロールする指示であるスクロール指示、前記出力部が出力している地図情報の種類を変更する指示である地図種類変更指示、前記出力部が出力している地図情報の角度を変更する指示である角度変更指示、前記出力部が出力している道路情報の表示または非表示を変更する指示である道路情報変更指示のうちのいずれか１以上を、前記出力部に指示する制御部として機能させ、
前記出力部では、
前記制御部からの指示に応じて、出力している地点情報の表示または非表示の変更、出力している道路情報の色の変更、出力している地図情報のスクロール、出力している地図情報の種類の変更、出力している地図情報の角度の変更、出力している道路情報の表示または非表示の変更のうちのいずれか１以上を行うためのプログラム。
【発明の詳細な説明】
【技術分野】
【０００１】
本発明は、地図を変更する端末装置等に関するものである。
【背景技術】
【０００２】
従来、ナビゲーションを行うシステムや装置が開発されている（特許文献１参照）。
【先行技術文献】
【特許文献】
【０００３】
【特許文献１】特開２０１０−１１７３０４号公報
【発明の概要】
【発明が解決しようとする課題】
【０００４】
しかしながら、従来の端末装置においては、装置を使用するユーザの属性や、装置の属性に関係なく、画一的に地図を表示していた。
【課題を解決するための手段】
【０００５】
本第一の発明の端末装置は、地図に関する情報である地図情報を格納し得る地図情報格納部と、ユーザの属性に関する条件、または端末装置の属性に関する条件である属性条件を格納し得る属性条件格納部と、地図情報を出力する指示である出力指示を受け付ける受付部と、出力指示に応じて、地図情報格納部から地図情報を取得し、出力する出力部と、ユーザの属性に関する情報、または端末装置の属性に関する情報である属性情報を取得する属性情報取得部と、属性情報が属性条件に合致するか否かを判断する判断部と、属性情報が属性条件に合致すると判断部が判断した場合に、出力部が出力している地図情報を、属性条件に対応するように変更するように指示する制御部とを具備し、出力部は、制御部の指示に従って、出力している地図情報の出力を変更する端末装置である。
【０００６】
このような構成により、装置を使用するユーザの属性や、装置の属性に応じて、地図の表示を適切に変更することができる。
【０００７】
また、本第二の発明の端末装置は、第一の発明に対して、地図情報は、地点に関する情報である地点情報を有し、制御部は、出力している地図情報が有する地点情報の表示または非表示を変更する指示である地点情報変更指示を出力部に送付し、出力部は、地点情報変更指示に応じて、出力する地点情報を変更する端末装置である。
【０００８】
このような構成により、装置を使用するユーザの属性や、装置の属性に応じて、地図上の地点の表示を変更することができる。
【０００９】
また、本第三の発明の端末装置は、第一の発明に対して、地図情報は、道路に関する情報である道路情報を有し、制御部は、出力している地図情報が有する道路情報の色を変更する指示である道路色変更指示を出力部に送付し、出力部は、道路色変更指示に応じて、道路情報の色を変更する端末装置である。
【００１０】
このような構成により、装置を使用するユーザの属性や、装置の属性に応じて、地図上の道路の色を変更することができる。
【発明の効果】
【００１１】
本発明による端末装置等によれば、装置を使用するユーザの属性や、装置の属性に応じて、地図の表示を適切に変更することができる。また、これにより、例えば、ユーザの嗜好や、装置の性能に合ったナビゲーションを行うことができる。
【図面の簡単な説明】
【００１２】
【図１】実施の形態１における端末装置１のブロック図
【図２】同端末装置１の全体動作について説明するフローチャート
【図３】同属性情報の取得処理について説明するフローチャート
【図４】同地図情報変更指示の取得処理について説明するフローチャート
【図５】同属性条件管理情報の例を示す図
【図６】同地図情報の例を示す図
【図７】同地図情報の例を示す図
【図８】同地図情報の例を示す図
【図９】同地図情報の例を示す図
【図１０】同地図情報の例を示す図
【図１１】同地図情報の例を示す図
【図１２】同地図情報の例を示す図
【図１３】同地図情報の例を示す図
【図１４】同コンピュータシステムの概観図
【図１５】同コンピュータシステムのブロック図
【発明を実施するための形態】
【００１３】
以下、本発明による端末装置等の実施形態について図面を参照して説明する。なお、実施の形態において同じ符号を付した構成要素は同様の動作を行うので、再度の説明を省略する場合がある。また、所定の情報等が格納され得る格納部等において、当該格納部に情報等が記憶される過程は問わないものとする。例えば、記録媒体を介して情報等が格納部等で記憶されるようになってもよい。また、通信回線などを介して送信された情報等が格納部等で記憶されるようになってもよい。さらに、入力デバイスを介して入力された情報等が格納部等で記憶されるようになってもよい。また、本実施の形態において、検索とは、検索キーを基に、検索対象となる情報内から、検索キーに一致する情報を検知することや、当該検知した情報を取得すること、当該検知した情報に対応付けられた情報を取得することなどを意味し、広く解する。また、本実施の形態において説明する各情報の形式、内容などは、あくまで例示であり、各情報の持つ意味を示すことができれば、形式、内容などは問わない。
【００１４】
（実施の形態）
本実施の形態において、属性情報を取得し、格納されている属性条件に応じて地図の表示を変更する端末装置１について説明する。
【００１５】
図１は、本実施の形態における端末装置１のブロック図である。
【００１６】
端末装置１は、地図情報格納部１１、属性条件格納部１２、受付部１３、属性情報取得部１４、判断部１５、制御部１６、出力部１７を備える。
【００１７】
地図情報格納部１１は、地図情報を格納し得る。地図情報とは、地図に関する情報である。地図は、例えば、地形図や、地勢図、地質図、土地利用図、住宅地図、路線図、道路地図、ガイドマップ、地形や道路等が把握可能な航空写真や衛星写真、当該写真に記号や文字等が記入されたものなどである。また、地図は、平面図（二次元）、立体図（三次元）、鳥瞰図などであってもよい。
【００１８】
地図情報は、例えば、地図の画像情報である。画像情報は、例えば、ラスタデータや、ベクタデータである。画像情報がラスタデータである場合、地図情報は、複数の縮尺に対応した画像情報を有していてもよい。複数の縮尺に対応した画像情報とは、例えば、同一地域について、縮尺が大きい画像情報や、縮尺が中程度の画像情報、縮尺が小さい画像情報などである。また、地図情報は、地図をタイル状に分割したものであってもよい。また、地図情報は、カーナビゲーションで用いられるＫＩＷＩフォーマットのものであってもよい。
【００１９】
また、地図情報は、地点情報を有していてもよい。地点情報とは、地図上の地点に関する情報である。地点情報は、例えば、地点識別子や、地点種類情報、地点位置情報、地点色情報などを有する。地点識別子とは、地点を識別するための情報である。また、地点種類情報とは、地点の種類を示す情報である。また、地点位置情報とは、地点の位置を示す情報である。また、地点色情報とは、地点の色や、地図情報で示される地図上の地点の色を示す情報である。
【００２０】
地点識別子は、例えば、地点ＩＤや、地点名称などである。地点ＩＤは、ＩＤを示すＩＤ情報である。ＩＤ情報は、例えば、「１」や、「２３」、「００７」、「Ｐ−０２３」などである。また、地点名称は、名称を示す名称情報である。名称情報は、例えば、「国道１号線」や、「東京駅」、「富士山」、「信濃川」などである。また、地点識別子は、地点ＩＤや、地点名称などの組み合わせであってもよい。
【００２１】
地点種類情報は、例えば、カテゴリ情報や、ジャンル情報などである。カテゴリ情報とは、カテゴリを示す情報である。また、ジャンル情報とは、ジャンルを示す情報である。ジャンル情報は、サブカテゴリを示す情報であってもよい。カテゴリ情報とは、「道路」や、「駅」、「店」、「その他」などである。また、ジャンル情報は、例えば、「高速道路」や、「一般道路」、「ターミナル駅」、「ローカル駅」、「飲食店」、「コンビニ」、「その他」などである。
【００２２】
地点位置情報は、位置を示す位置情報である。位置情報は、例えば、経緯度情報や、高度情報、座標情報、座標軸情報、距離情報などである。経緯度情報とは、緯度・経度を示す情報である。経緯度情報は、例えば、「（１２．３４．５６．７８，１２３．４５．６７．８９）」や、「（Ｎ１２．３４．５６，Ｅ１２３．４５．６７）」、「（北１２．３４，東１２３．４５）」、「（北緯１２度，東経１２３度）」などである。また、高度情報とは、高度を示す情報である。高度情報は、例えば、「２３４ｍ」や、「５，４３２ｍ」、「Ｈ４５６」、「高度７８９ｍ」などである。また、座標情報とは、座標を示す情報である。座標情報は、例えば、「（Ｘ，Ｙ）＝（３，４）」や、「（ｘ＝４，ｙ＝６）」、「（１２，２４）」などである。また、
座標軸情報とは、座標の軸を示す情報である。座標軸情報は、例えば、「Ｘ軸」や、「Ｙ方向」、「Ｚ」などである。また、距離情報とは、距離を示す情報である。距離情報は、例えば、「１００ｍ」や、「５００ｍ」、「Ｄ１ｋｍ」、「距離２．５ｋｍ」などである。また、位置情報は、経緯度情報や、高度情報、座標情報、座標軸情報、距離情報などの組み合わせであってもよい。
【００２３】
地点色情報は、色を示す色情報である。色情報は、例えば、「赤」や、「Ｂｌｕｅ」、「２５５，１２８，６４」、「＃ＦＦＥＥＤＤ」、「ソフト」、「ブライト」、「簡略」などである。
【００２４】
また、地図情報は、道路情報を有していてもよい。道路情報とは、道路に関する情報である。道路情報は、例えば、道路識別子や、制限速度情報、道路幅情報、道路距離情報、道路位置情報、道路色情報などを有する。また、道路情報は、例えば、地点情報であってもよい。道路識別子とは、道路を識別するための情報である。道路識別子は、例えば、道路ＩＤや、道路名称などである。道路ＩＤは、ＩＤ情報である。道路名称は、名称情報である。道路名称は、例えば、「国道１５号線」や、「府道３５号」、「県道２３」などである。制限速度情報とは、道路の制限速度を示す情報である。制限速度情報は、例えば、「１００ｋｍ／ｈ」や、「時速８０ｋｍ」、「６０」などである。道路幅情報とは、道路の幅を示す情報である。道路幅情報は、例えば、「２０ｍ」や、「１０ｍ」、「６．５」などである。道路距離情報は、道路の距離を示す情報である。道路の距離とは、例えば、道路の全長や、道路の始点から終点までの直線距離などを意味する。道路距離情報は、例えば、「４０ｋｍ」や、「６５．４ｋｍ」、「５０」などである。道路位置情報とは、道路の位置を示す情報である。道路位置情報は、位置情報である。道路位置情報は、２以上の位置情報を有していてもよい。つまり、道路位置情報は、道路の始点を示す位置情報と、道路の終点を示す位置情報とを有していてもよい。また、道路位置情報は、当該道路情報により示される道路が存在する地点を示す位置情報を有していてもよい。道路色情報とは、道路の色や、地図情報で示される地図上の道路の色などを示す情報である。道路色情報は、色情報である。
【００２５】
また、地図情報は、ランドマーク情報を有していてもよい。ランドマークとは、例えば、タワーや高層ビルなどの高層建築物や、寺院、名所、旧跡、その他建造物などのことである。つまりランドマーク情報とは、これらのランドマークに関する情報である。ランドマーク情報は、例えば、ランドマーク識別子や、ランドマーク位置情報、ランドマーク高度情報、ランドマーク色情報などを有する。また、ランドマーク情報は、地点情報であってもよい。ランドマーク識別子とは、ランドマークを識別するための情報である。ランドマーク識別子は、ランドマークＩＤや、ランドマーク名称などである。ランドマークＩＤは、ＩＤ情報である。ランドマーク名称は、名称情報である。ランドマーク名称は、例えば、「東京タワー」や、「京都タワー」、「東京ドーム」、「大阪ドーム」などである。ランドマーク位置情報とは、ランドマークの位置を示す情報である。ランドマーク位置情報は、位置情報である。ランドマーク高度情報とは、ランドマークの高さを示す情報である。ランドマーク高度情報は、高度情報である。ランドマーク色情報とは、ランドマークの色や、地図情報で示される地図上のランドマークの色などを示す情報である。ランドマーク色情報は、色情報である。
【００２６】
また、地図情報は、燃料補給地点情報を有していてもよい。燃料補給地点情報は、例えば、燃料補給地点識別子や、燃料補給地点位置情報、燃料補給地点規模情報、燃料補給地点色情報などを有する。また、燃料補給地点情報は、地点情報であってもよい。燃料補給地点識別子とは、燃料補給地点を識別するための情報である。燃料補給地点識別子は、燃料補給地点ＩＤや、燃料補給地点名称などである。燃料補給地点ＩＤは、ＩＤ情報である。燃料補給地点名称は、名称情報である。燃料補給地点名称は、例えば、「ガソリンスタンドＡＢＣ」や、「ＥＤＦステーション」、「ＸＹＺ石油」などである。燃料補給地点位置情報とは、燃料補給地点の位置を示す情報である。燃料補給地点位置情報は、位置情報である。燃料補給地点規模情報とは、燃料補給地点の規模を示す情報である。燃料補給地点規模情報は、例えば、「４００ｍ＾２」や、「１５ｍ×３０ｍ」、「５００平米」などである。燃料補給地点色情報とは、燃料補給地点の色や、地図情報で示される地図上の燃料補給地点の色などを示す情報である。燃料補給地点色情報は、色情報である。
【００２７】
なお、地図情報は、二次元のオンライン地図や電子地図等として公知であるので、その詳細な説明を省略する。
【００２８】
地図情報格納部１１は、不揮発性の記録媒体が好適であるが、揮発性の記録媒体でも実現可能である。
【００２９】
属性条件格納部１２は、属性条件を格納し得る。属性条件とは、ユーザや端末装置１などの属性に関する条件である。属性条件は、例えば、ユーザ属性条件や、端末属性条件などである。ユーザ属性条件とは、ユーザの属性に関する条件である。また、端末属性条件とは、端末装置１の属性に関する条件である。属性条件は、例えば、属性情報や、対象情報、判断種別情報、連結情報などを有する。属性情報とは、ユーザや端末装置１などの属性に関する情報である。また、対象情報とは、属性条件が何を示す情報であるのかを示す情報である。また、判断種別情報とは、条件を満たすか否かを判断する種別を示す情報である。また、連結情報とは、２以上の走行条件をどのように連結するのかを示す情報である。
【００３０】
属性情報は、例えば、ユーザ属性情報や、端末属性情報などである。ユーザ属性情報とは、ユーザの属性に関する情報である。また、端末属性情報とは、端末装置１の属性に関する情報である。また、ユーザ属性情報は、例えば、静的ユーザ属性情報や、動的ユーザ属性情報などである。また、端末属性情報は、例えば、静的端末属性情報や、動的端末属性情報などである。静的ユーザ属性情報とは、ユーザの静的な属性に関する情報である。また、動的ユーザ属性情報とは、ユーザの動的な属性に関する情報である。また、静的端末属性情報とは、端末装置の静的な属性に関する情報である。また、動的端末属性情報とは、端末装置の動的な属性に関する情報である。
【００３１】
静的ユーザ属性情報は、例えば、性別情報や、年齢情報、年齢層情報などである。性別情報とは、ユーザの性別を示す情報である。また、年齢情報とは、ユーザの年齢を示す情報である。また、年齢層情報とは、ユーザの年齢層を示す情報である。性別情報は、例えば、「性別：男性」や、「性別＝女性」、「男」、「ＷＯＭＡＮ」などである。また、年齢情報は、例えば、「年齢：３２歳」や、「年齢＝２５歳」、「２３才」、「４５」などである。また、年齢層情報は、例えば、「年齢層：３０代」や、「年齢層＝２０代」、「４０」などである。
【００３２】
動的ユーザ属性情報は、例えば、着信履歴情報や、発信履歴情報、受信履歴情報、送信履歴情報などである。着信履歴情報とは、端末装置１への電話の着信の履歴を示す情報である。また、発信履歴情報とは、端末装置１からの電話の発信の履歴を示す情報である。また、受信履歴情報とは、端末装置１へのメールの受信の履歴を示す情報である。また、送信履歴情報とは、端末装置１からのメールの送信の履歴を示す情報である。着信履歴情報、および発信履歴情報は、例えば、「１回」や、「２」、「Ｕｓｅｒ０１｜Ｕｓｅｒ０３｜Ｕｓｅｒ１５」、「００９｜１１７｜１３５」、「０９０−１３５７−２４６８｜０８０−１１２２−３３４４」、「０１２３４５６７８｜０８７６５４３２１」などである。また、受信履歴情報、および送信履歴情報は、例えば、「２回」や、「４」、「Ｕｓｅｒ０２｜Ｕｓｅｒ０４｜Ｕｓｅｒ１６」、「０１０｜１１８｜１３６」、「friend_friend@hp.carrier.ne.jp｜someone@handyphone.ne.jp」などである。
【００３３】
静的端末属性情報は、例えば、種類情報や、機種識別子、画面解像度情報、ＧＰＳ装置有無情報などである。種類情報とは、端末装置１の種類を示す情報である。また、機種識別子とは、端末装置１の機種を識別するための情報である。また、画面解像度情報とは、端末装置１が有する画面の解像度を示す情報である。また、ＧＰＳ装置有無情報とは、端末装置１がＧＰＳ装置を有するか否かを示す情報である。種類情報は、例えば、「携帯電話」や、「ナビゲーション装置」、「携帯型ゲーム機」などである。機種識別子は、機種ＩＤや、機種名称などである。機種ＩＤは、ＩＤ情報である。機種名称は、名称情報である。機種名称は、例えば、「ＨＰＮ−００８」や、「ＣａｒＮａｖｉ２」、「どこでもゲーム機Ｌ」などである。また、画面解像度情報は、例えば、「画面解像度：３６０×２４０」や、「画面解像度＝ＱＶＧＡ」、「４．２型」などである。また、ＧＰＳ装置有無情報は、例えば、「ＧＰＳ：あり」や、「ＧＰＳ＝なし」、「有」、「無」などである。
【００３４】
動的端末属性情報は、例えば、移動速度情報や、バッテリー残量情報、電波状況情報などである。移動速度情報とは、端末装置１の移動速度を示す情報である。また、バッテリー残量情報とは、端末装置１のバッテリーの残量を示す情報である。また、電波状況情報とは、端末装置１が何らかの情報の受信、および送信に使用する電波の状況を示す情報である。移動速度情報は、例えば、「秒速３ｍ」や、「４ｍ／ｓ」「２０ｋｍ／ｈ」などである。また、バッテリー残量情報は、例えば、「３」や、「１／３」、「２／５」、「８０％」、「０．６」、「６００ｍＡ」、「１００ｍＡｈ」などである。
【００３５】
また、属性情報は、時刻情報を有していてもよい。時刻情報とは、時刻を示す情報である。時刻情報は、例えば、日付情報や、時間情報などである。日付情報とは、日付を示す情報である。また、時間情報とは、時間を示す情報である。日付情報は、例えば、「２０１０年１２月３１日」や、「２０１１／０２／０３」、「２０１１０２１４」、「２月２３日」、「０３１４」などである。また、時間情報は、例えば、「２３時５９分５９秒」や、「１２：０３：０４」、「１２３４５６」、「２時２３分」、「０３１４」などである。
【００３６】
なお、時刻情報は、２以上の日付情報や、時間情報などを有していてもよい。例えば、時刻情報が２以上の日付情報を有する場合、時刻情報は、例えば、「２０１１年１２月２９日〜２０１１年１２月３１日」や、「１月１日から１月３日」などである。また、時刻情報は、日付情報や、時間情報などの組み合わせであってもよい。
【００３７】
対象情報は、例えば、「ユーザ属性」や、「性別」、「年齢」、「年齢層」、「端末属性」、「種別」、「機種」、「画面解像度」などである。また、判断種別情報は、例えば、「＝」や、「＞」、「＜」、「≧」、「≦」などである。また、連結情報は、例えば、「ＡＮＤ」や、「ＯＲ」、「ａｎｄ」、「ｏｒ」などである。
【００３８】
属性条件は、例えば、「性別＝女」や、「年齢層＝３０代」、「種別＝携帯電話」、「画面解像度≧（３００×２００）」、「｛年齢層≧（２０代）｝ＡＮＤ｛年齢層≦（４０代）｝」、「種別＝｛（携帯電話）ｏｒ（カーナビ）｝」などである。これらは、順に、「ユーザの性別が、女性である」こと、「ユーザの年齢層が、３０代である」こと、「端末装置１の種別が携帯電話である」こと、「端末装置１の画面解像度が、３００×２００以上である」こと、「ユーザの年齢層が、２０代以上であり、かつ、ユーザの年齢層が４０代以下である」こと、「端末装置１の種別が携帯電話、またはカーナビである」ことを示す。
【００３９】
また、属性条件格納部１２は、属性条件管理情報を格納し得てもよい。属性条件管理情報とは、属性条件を管理するための情報である。属性条件管理情報は、例えば、属性条件と、地図情報変更指示とを有する。
【００４０】
地図情報変更指示とは、地図情報を変更する指示である。地図情報変更指示は、例えば、地点情報変更指示や、道路色変更指示、スクロール指示、地図種類変更指示、ランドマーク情報変更指示、角度変更指示、道路情報変更指示、燃料補給地点情報変更指示、地図色変更指示などである。地点情報変更指示とは、地点情報の表示または非表示を変更する旨の指示である。また、道路色変更指示とは、道路情報の色を変更する旨の指示である。また、スクロール指示とは、地図情報をスクロールする旨の指示である。また、地図種類変更指示とは、地図情報の種類を変更する旨の指示である。「地図情報の種類を変更」とは、異なる地図情報に変更することである。また、ランドマーク情報変更指示とは、ランドマーク情報の表示または非表示を変更する旨の指示である。また、角度変更指示とは、地図情報の角度を変更する旨の指示である。道路情報変更指示とは、道路情報の表示または非表示を変更する旨の指示である。また、燃料補給地点情報変更指示とは、燃料補給地点情報の表示または非表示を変更する旨の指示である。また、地図色変更指示とは、地図情報の色を変更する旨の指示である。
【００４１】
地点情報変更指示は、例えば、表示または非表示にする地点情報を示す情報などを有する。地点情報変更指示は、例えば、「地点，北，表示」や、「地点，ＩＤ＝（０１２，０３４，０６７）」、「地点，Ｄｉｓａｂｌｅ，南」、「地点，非表示，ＩＤ＝（０２４，０５０）」などである。これらは、順に、「地図情報が示す地図上における端末装置１の現在位置から、北の方位にある地点情報のみを表示する」こと、「ＩＤが０１２、０３４、０６７で示される地点情報を表示する」こと、「地図情報が示す地図上における端末装置１の現在位置から、南の方位にある地点情報を非表示する」こと、「ＩＤが０２４、０５０で示される地点情報を非表示にする」ことを意味する。
【００４２】
道路色変更指示は、道路情報の色を示す情報などを有する。道路色変更情報は、例えば、「道路色変更，青」や、「道路色変更，赤」、「道路色，（１９２，１９２，６４）」、「道路色，＃ＣＣＤＤＥＥ」などである。これらは、順に、「道路情報の色を青に変更する」こと、「道路情報の色を赤に変更する」こと、「道路情報の色を（１９２，１９２，６４）で示される色に変更する」こと、「道路情報の色を＃ＣＣＤＤＥＥで示される色に変更する」ことを意味する。
【００４３】
スクロール指示は、例えば、地図情報をスクロールする方向を示す情報などを有する。スクロール指示は、例えば、「スクロール，Ｘ軸，−５０」や、「スクロール，Ｙ軸，＋５０」、「スクロール，上，５０ｐｘ」、「スクロール，下，２０ｐｘ」などである。これらは、順に、「地図情報を、Ｘ軸方向に−５０ピクセル、スクロールする」こと、「地図情報を、Ｙ軸方向に＋５０ピクセル、スクロールする」こと、「地図情報を、上に５０ピクセル、スクロールする」こと、「地図情報を、下に２０ピクセル、スクロールすること」を意味する。
【００４４】
地図種類変更指示は、例えば、地図情報の種類を示す情報などを有する。地図種類変更指示は、例えば、「地図種変更，２Ｄ」や、「地図種変更，鳥瞰」などである。これらは、順に、「地図情報を、平面図に変更する」こと、「地図情報を、鳥瞰図に変更する」ことを意味する。
【００４５】
ランドマーク情報変更指示は、例えば、表示または非表示にするランドマーク情報を示す情報などを有する。ランドマーク情報変更指示は、例えば、「ランドマーク，北，表示」や、「ランドマーク，ＩＤ＝（０１２，０３４，０６７）」、「ランドマーク，Ｄｉｓａｂｌｅ，南」、「ランドマーク，非表示，ＩＤ＝（０２４，０５０）」などである。これらは、順に、「地図情報が示す地図上における端末装置１の現在位置から、北の方位にあるランドマーク情報のみを表示する」こと、「地図情報が示す地図上に、ＩＤが０１２、０３４、０６７で示されるランドマーク情報を表示する」こと、「地図情報が示す地図上における端末装置１の現在位置から、南の方位にあるランドマーク情報を非表示する」こと、「地図情報が示す地図上に表示されているランドマーク情報のうち、ＩＤが０２４、０５０のランドマーク情報を非表示にする」ことを意味する。
【００４６】
角度変更指示は、例えば、地図情報の角度を示す情報などを有する。角度変更指示は、例えば、「角度，＋１５°」や、「角度，Ｘ軸，＋３０°」や、「回転，Ｙ軸，−４５°」などである。これらは、順に、「地図情報の角度を、現在の角度に対して３０°追加する」こと、「地図情報の角度を、Ｘ軸を中心に３０°追加する」こと、「地図情報を、Ｙ軸を中心に、−４５°回転する」ことを意味する。
【００４７】
道路情報変更指示は、例えば、表示または非表示にする道路情報を示す情報などを有する。道路情報変更指示は、例えば、「道路，表示，ＩＤ＝（０１２，０２４，０４８）」や、「道路，Ｅｎａｂｌｅ，制限速度≧４０ｋｍ／ｈ」、「道路，道幅≦２ｍ，非表示」などである。これらは順に、「ＩＤが０１２、０２４、０４８で示される道路情報を表示する」こと、「制限速度が時速４０ｋｍ以上の道路情報を表示する」こと、「道幅が２ｍ以下の道路情報を非表示にする」ことを意味する。
【００４８】
燃料補給地点情報変更指示は、例えば、表示または非表示にする燃料補給地点情報を示す情報などを有する。燃料補給地点情報変更指示は、例えば、「燃料補給地点，表示，ＩＤ＝（０１１，０２２，０４４）」、「燃料補給地点，Ｄｉｓａｂｌｅ，面積＜１００ｍ＾２」、「燃料補給地点，北，表示」などである。これらは、順に、「ＩＤが０１１、０２２、０４４で示される燃料補給地点情報を表示する」こと、「面積が１００平方メートルより小さい燃料補給地点情報を非表示にする」こと、「地図情報が示す地図上における端末装置１の現在位置から、北の方位にある燃料補給地点情報のみを表示する」ことを意味する。
【００４９】
地図色変更指示は、例えば、地図情報の色を示す情報などを有する。地図色変更指示は、例えば、「地図色変更，赤」や、「地図色変更，黄」、「地図色，（２５５，１２８，６４）」、「地図色，＃ＦＦＥＥＤＤ」などである。これらは、順に、「地図情報の色を赤に変更する」こと、「地図情報の色を黄に変更する」こと、「地図情報の色を（２５５，１２８，６４）で示される色に変更する」こと、「地図情報の色を＃ＦＦＥＥＤＤで示される色に変更する」ことを意味する。また、地図色変更情報は、例えば、地図情報が有する色情報の色を変更する処理や手順を示す情報を有していてもよい。
【００５０】
また、属性条件と、地図情報変更指示とは、通常、１対１で対応付けられている。つまり、属性条件に対応する地図情報変更指示は、後述の判断部１５が、属性情報が属性条件に合致すると判断した場合に、後述の制御部１６が、当該属性条件に対応するように地図情報を変更する際に、後述の出力部１７に送付する指示である。
【００５１】
属性条件格納部１２は、不揮発性の記録媒体が好適であるが、揮発性の記録媒体でも実現可能である。
【００５２】
受付部１３は、出力指示を受け付ける。出力指示とは、地図情報を出力する指示である。出力指示は、例えば、地図情報の表示の指示や、地図情報のスクロールの指示、地図情報の種類の変更の指示、地図情報の拡大・縮小などの指示なども含む。また、これらの指示は、通常、端末装置１へのユーザの操作によるものである。当該操作は、例えば、端末装置１が備えるボタンの操作や、タッチパネルへのタップ操作、ドラッグ操作、フリック操作、ピンチアウト操作、ピンチイン操作などである。
【００５３】
また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００５４】
また、出力とは、ディスプレイへの表示、プロジェクターを用いた投影、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００５５】
受付部１３における出力指示の入力手段は、キーボードやマウスやメニュー画面によるものなど、何でもよい。受付部１３は、キーボード等の入力手段のデバイスドライバーや、メニュー画面の制御ソフトウェアなどで実現され得る。
【００５６】
属性情報取得部１４は、属性情報を取得する。属性情報は、通常、任意の記憶領域に格納されている。また、属性情報は、属性情報取得部１４が保持していてもよい。つまり、属性情報取得部１４は、任意の記憶領域に格納されている属性情報、または保持している属性情報を取得する。また、属性情報取得部１４は、任意の記憶領域に格納されている属性情報、または保持している属性情報から、２以上の属性情報を取得し、当該属性情報を用いて、新たな属性情報を生成し、取得してもよい。なお、属性情報の任意の記憶領域への蓄積、および属性情報取得部１４の属性情報の保持は、通常、属性情報の入力を受け付けるＧＵＩ（Ｇｒａｐｈｉｃａｌ  Ｕｓｅｒ  Ｉｎｔｅｒｆａｃｅ）を介して行われるが、その過程は問わない。
【００５７】
また、属性情報取得部１４による属性情報の取得のタイミングは、通常、属性情報に変化があった直後であるが、属性情報に変化がない場合であってもよい。例えば、属性情報取得部１４は、端末装置１の起動の直後に、属性情報を取得してもよい。つまり、属性情報取得部１４は、例えば、属性情報が変化したか否かを常に判断し、変化したと判断した場合に、属性情報を取得してもよい。また、属性情報取得部１４は、例えば、端末装置１が起動したか否かを常に判断し、起動したと判断した場合に、属性情報を取得してもよい。また、属性情報取得部１４は、例えば、属性情報取得基準を用いて、属性情報を取得してもよい。
【００５８】
属性情報取得基準情報とは、属性情報を取得する際の基準に関する情報である。属性情報取得基準情報は、例えば、種類情報や、タイミング情報などを有する。種類情報とは、取得する属性情報の種類を示す情報である。また、タイミング情報とは、属性情報の取得のタイミングを示す情報である。
【００５９】
種類情報は、例えば、「ユーザ属性：静的：性別」や、「静的：年齢」、「ユーザ属性：動的：着信履歴」、「動的：送信履歴」、「端末属性：静的：種別」、「静的：機種」、「端末属性：動的：バッテリー残量」、「動的：電波状況」などである。これらは、順に、「ユーザ属性情報のうち、性別情報を取得する」こと、「年齢情報を取得する」こと、「端末属性情報のうち、種別情報を取得する」こと、「機種識別子を取得する」ことを意味する。
【００６０】
タイミング情報は、例えば、「起動直後」や、「起動後、２０秒経過後」、「移動中」、「変更後」などである。これらは、順に、「端末装置１の起動の直後に、属性情報を取得する」こと、「端末装置１の起動後、２０秒経過後に、属性情報を取得する」こと、「端末装置の移動中に、属性情報を取得する」こと、「属性情報が変更された直後に、属性情報を取得する」ことを意味する。
【００６１】
例えば、種類情報が「年齢」であり、タイミング情報が「起動直後」であるとする。また、端末装置１の任意の記憶領域に年齢情報「２５歳」が格納されているとする。この場合において、端末装置１の電源がＯＮになり、端末装置１が起動したとすると、属性情報取得部１４は、「２５歳」を属性情報である年齢情報として取得する。また、例えば、種類情報が「機種」であり、タイミング情報が「移動中」であるとする。また、端末装置１の任意の記憶領域に機種識別子「ＰＨＮ−００８」が格納されているとする。この場合において、端末装置１が移動しているとすると、属性情報取得部１４は、「ＰＨＮ−００８」を属性情報である機種識別子として取得する。
【００６２】
なお、属性情報取得基準は、通常、属性情報取得部１４が保持しているが、任意の記憶領域に格納されていてもよい。また、属性情報取得部１４は、例えば、取得した属性情報を、任意の記憶領域に蓄積してもよい。また、属性情報取得部１４は、例えば、任意の記憶領域に格納されている属性情報を用いて、属性情報を算出してもよい。つまり、属性情報取得部１４は、一時的な属性に関する属性情報を取得してもよいし、過去の属性に関する属性情報を取得してもよい。また、属性情報取得部１４は、属性情報を取得することができればよく、その方法、手順などは問わない。
【００６３】
属性情報取得部１４は、通常、ＭＰＵやメモリ等から実現され得る。属性情報取得部１４の処理手順は、通常、ソフトウェアで実現され、当該ソフトウェアはＲＯＭ等の記録媒体に記録されている。但し、ハードウェア（専用回路）で実現してもよい。
【００６４】
なお、属性情報取得部１４は、静的ユーザ属性情報取得手段や、動的ユーザ属性情報取得手段、静的端末属性情報取得手段、動的端末属性情報取得手段、位置情報取得手段、方位情報取得手段など（いずれも図示せず）を備えていてもよい。方位情報とは、方位を示す情報である。方位情報は、例えば、「北」、「南」、「北西」、「南東」、「１８０°」、「９０°」などである。静的ユーザ属性情報取得手段は、静的ユーザ属性情報を取得する。また、動的ユーザ属性情報取得手段は、動的ユーザ属性情報を取得する。また、静的端末属性情報取得手段は、静的端末属性情報を取得する。また、動的端末属性情報取得手段は、動的端末属性情報を取得する。また、位置情報取得手段は、端末装置１の位置を示す情報を取得する。また、方位情報取得手段は、端末装置１の方位を示す情報を取得する。
【００６５】
静的ユーザ属性情報取得手段は、例えば、任意の記憶領域に格納されている静的ユーザ属性情報を取得する。また、動的ユーザ属性情報取得手段は、例えば、任意の記憶領域から、２以上の静的ユーザ属性情報を取得し、当該静的ユーザ属性情報から、動的ユーザ属性情報を生成し、取得する。また、静的端末属性情報取得手段は、例えば、任意の記憶領域に格納されている静的端末属性情報を取得する。また、動的端末属性情報取得手段は、例えば、任意の記憶領域から、２以上の静的端末属性情報を取得し、当該静的端末属性情報から、動的端末属性情報を生成し、取得する。
【００６６】
静的ユーザ属性情報取得手段における静的ユーザ属性情報の取得のタイミング、および動的ユーザ属性情報取得手段における動的ユーザ属性情報の取得のタイミング、および静的端末属性情報取得手段における静的端末属性情報の取得のタイミング、および動的端末属性情報取得手段における動的端末属性情報の取得のタイミング、および位置情報取得手段における位置情報の取得のタイミング、および方位情報取得手段における方位情報の取得のタイミングは、例えば、属性情報取得部１４と同様である。
【００６７】
静的ユーザ属性情報取得手段、および動的ユーザ属性取得手段、静的端末属性情報取得手段、および動的端末属性取得手段は、通常、ＭＰＵやメモリ等から実現され得えるが、ハードウェア（専用回路）で実現され得てもよい。これらの手段の処理手順は、通常、ソフトウェアで実現され、当該ソフトウェアはＲＯＭ等の記録媒体に記録されている。また、位置情報取得手段は、通常、いわゆるＧＰＳや、移動体通信用の基地局から位置情報を受信する装置などのハードウェア（専用回路）で実現され得る。また、方位情報取得手段は、通常、いわゆる地磁気センサや、方位センサなどのハードウェア（専用回路）で実現され得る。
【００６８】
また、属性情報取得部１４は、任意の記憶領域に蓄積した属性情報の履歴から、位置情報や方位情報を取得してもよい。属性情報取得部１４は、例えば、移動速度情報と、端末装置１の移動している時間とから、移動距離を算出し、位置情報を取得してもよい。また、属性情報取得部１４は、例えば、端末装置１が移動している道路を示す道路情報が有する位置情報と、移動速度情報とから、端末装置１の移動方向を算出し、方位情報を取得してもよい。
【００６９】
判断部１５は、属性情報が属性条件に合致するか否かを判断する。ここでの属性情報は、属性情報取得部１４が取得した属性情報である。また、ここでの属性条件は、属性条件格納部１２に格納されている属性条件である。
【００７０】
例えば、属性条件格納部１２に、属性条件が格納されている場合、判断部１５は、まず、属性情報取得部１４が取得した属性情報を取得する。そして、判断部１５は、取得した属性情報を検索キーとし、属性条件格納部１２に格納されている属性条件から、取得した属性条件に合致する属性条件を検索する。そして、判断部１５は、検索の結果、属性条件が取得できた場合に、属性情報が属性条件に合致する、と判断する。また、判断部１５は、検索の結果、属性条件が取得できなかった場合に、属性情報は属性条件に合致しない、と判断する。
【００７１】
また、例えば、属性条件格納部１２に、属性条件管理情報が格納されている場合、判断部１５は、まず、属性情報取得部１４が取得した属性情報を取得する。そして、判断部１５は、取得した属性情報を検索キーとし、属性条件格納部１２に格納されている属性条件管理情報が有する属性条件から、取得した属性情報に合致する属性条件を検索する。そして、判断部１５は、検索の結果、属性条件が取得できた場合に、属性情報が属性条件に合致する、と判断する。また、判断部１５は、検索の結果、属性条件が取得できなかった場合に、属性情報は属性条件に合致しない、と判断する。そして、判断部１５は、判断の結果、取得できた属性条件に対応する地図情報変更指示を取得する。
【００７２】
例えば、属性条件格納部１２に、属性条件「性別＝（女性）」が格納されているとする。また、属性情報取得部１４が性別情報「女性」を取得したとする。この場合、判断部１５は、属性情報が属性条件に合致する、と判断する。また、例えば、属性条件格納部１２に、属性条件管理情報「年齢層≧（３０代）｜（地点名表示，コンビニ）」が格納されているとする。また、属性情報取得部１４が年齢層情報「４０代」を取得したとする。この場合、判断部１５は、属性情報が属性条件に合致する、と判断し、地図情報変更指示「地点名表示，コンビニ」を取得する。
【００７３】
また、例えば、属性条件格納部１２に、属性条件「種類＝（カーナビ）」のみが格納されているとする。また、属性情報取得部１４が種類情報「携帯電話」を取得したとする。この場合、判断部１５は、属性情報は属性条件に合致しない、と判断する。また、例えば、属性条件格納部１２に、属性条件管理情報「画面解像度≧（４００×３００）｜（地点名表示，あり）」が格納されているとする。また、属性情報取得部１４が画面解像度情報「３００×２００」を取得したとする。この場合、判断部１５は、属性情報は属性条件に合致しない、と判断し、地図情報変更指示「地点名表示，あり」は取得しない。
【００７４】
判断部１５は、通常、ＭＰＵやメモリ等から実現され得る。判断部１５の処理手順は、通常、ソフトウェアで実現され、当該ソフトウェアはＲＯＭ等の記録媒体に記録されている。但し、ハードウェア（専用回路）で実現してもよい。
【００７５】
制御部１６は、後述の出力部１７に、出力部１７が出力している地図情報を変更するように指示する。ここで、「地図情報を変更するように指示する」とは、通常、地図情報変更指示を送付することである。
【００７６】
制御部１６は、通常、判断部１５が取得した地図情報変更指示を、出力部１７に送付する。つまり、制御部１６は、判断部１５の属性情報が属性条件に合致するか否かの判断の結果、取得した地図情報変更指示を取得し、当該地図情報変更指示を、出力部１７に送付する。例えば、判断部１５が地図情報変更指示である地点情報変更指示を取得した場合、制御部１６は、当該地点情報変更指示を、出力部１７に送付する。また、例えば、判断部１５が地図情報変更指示である道路色変更指示を取得した場合、制御部１６は、当該道路色変更指示を、出力部１７に送付する。
【００７７】
また、制御部１６は、例えば、属性条件管理情報を用いて、地図情報変更指示を送付してもよい。この場合、属性条件管理情報は、通常、制御部１６が保持しているが、任意の記憶領域に格納されていてもよい。また、この場合、例えば、制御部１６は、まず、判断部１５の判断の結果、属性情報が属性条件に合致すると判断した属性情報を取得する。そして、制御部１６は、取得した属性情報を検索キーとし、保持している属性条件管理情報が有する属性条件から、取得した属性情報に合致する属性条件を検索する。そして、制御部１６は、地図情報変更指示を取得する。
【００７８】
また、制御部１６は、例えば、属性情報取得部１４が取得した属性情報から、地図情報変更指示を生成し、当該地図情報変更指示を、出力部１７に送付してもよい。この場合、制御部１６は、例えば、地図情報変更指示生成情報を用いて地図情報変更指示を生成してもよい。地図情報変更指示生成情報とは、地図情報変更指示を生成する手順やパターンなどに関する情報である。地図情報変更指示生成情報は、例えば、種類情報や、生成手順などを有する。種類情報とは、属性情報の種類を示す情報である。生成手順とは、当該属性情報から地図情報変更指示を生成する手順やパターンなどを示す情報である。また、種類情報と生成情報とは、通常、１対１で対応付けられている。
【００７９】
種類情報は、例えば、「ユーザ属性」や、「性別」、「年齢」、「年齢層」、「端末属性」、「種別」、「機種」、「画面解像度」などである。生成手順は、例えば、「道路色変更，（（Ｓ＝女性）？（ソフト）：（ブライト））」や、「地点名表示，ＩＮＴ（ＡＧＥ／４０）」などである。ここで、「Ｓ」は、性別情報を示す記号である。また、「ＩＮＴ（）」は、「（）」内に指定された値を整数に変換する関数を示す記号である。また、「ＡＧＥ」は、年齢情報を示す記号である。
【００８０】
制御部１６は、例えば、まず、属性情報取得部１４が取得した属性情報から、当該属性情報の種類を示す種類情報を取得する。そして、制御部１６は、当該種類情報を検索キーに、地図情報変更指示生成情報から、当該種類情報に対応する生成手順を取得する。そして、制御部１６は、当該生成手順と、属性情報取得部１４が取得した属性情報とから、地図情報変更指示を生成する。
【００８１】
例えば、属性情報取得部１４が、性別情報「女性」を取得したとする。また、地図情報変更指示生成情報にて、種類情報「性別」と、生成手順「道路色変更，（（Ｓ＝女性）？（ソフト）：（ブライト））」が対応付けられているとする。この場合、制御部１６は、属性情報取得部１４が取得した情報が性別情報であることを示す「性別」を検索キーに、生成手順「道路色変更，（（Ｓ＝女性）？（ソフト）：（ブライト））」を取得する。そして、制御部１６は、性別情報を示す「Ｓ」と性別情報「女性」とを置換し、「（女性＝女性）？（ソフト）：（ブライト）」を評価し、「ソフト」を取得し、地図情報変更指示「道路色変更，ソフト」を生成する。
【００８２】
なお、地図情報変更指示生成情報は、通常、制御部１６が保持しているが、任意の記憶領域に格納されていてもよい。
【００８３】
制御部１６は、通常、ＭＰＵやメモリ等から実現され得る。制御部１６の処理手順は、通常、ソフトウェアで実現され、当該ソフトウェアはＲＯＭ等の記録媒体に記録されている。但し、ハードウェア（専用回路）で実現してもよい。
【００８４】
出力部１７は、出力指示に応じて、地図情報を出力する。つまり、出力部１７は、まず、受付部１３が受け付けた出力指示を取得する。そして、出力部１７は、当該出力指示に応じて、地図情報格納部１１に格納されている地図情報を取得する。そして、出力部１７は、当該取得した地図情報を出力する。
【００８５】
また、出力部１７は、地図情報変更指示に従い、地図情報の出力を変更する。つまり、出力部１７は、まず、制御部１６が送付した地図情報変更指示を取得する。そして、出力部１７は、当該地図情報変更指示に従い、出力している地図情報の内容を変更する。そして、出力部１７は、当該内容を変更した地図情報を出力する。
【００８６】
例えば、出力部１７が地点情報変更指示を取得したとする。この場合、出力部１７は、例えば、出力している地図情報が有する地点情報であって、当該地点情報変更指示で示される地点情報を表示したままにし、それ以外の地点情報を非表示にし、地図情報で示される地図上の地点情報の表示または非表示を変更する。
【００８７】
また、例えば、出力部１７が道路色変更指示を取得したとする。この場合、出力部１７は、例えば、出力している地図情報が有する道路情報を取得し、当該道路情報が有する色情報に対して、当該道路色変更指示が有する情報により示される色情報を用いて色変更処理を施し、当該処理を施した道路情報を出力し、地図情報で示される地図上の道路の色を変更する。
【００８８】
なお、色変更処理とは、色情報を変更する処理である。色変更処理は、例えば、色置換処理や、色合い変更処理、色リセット処理などである。色置換処理とは、色情報を、他の色情報に置換する処理である。また、色合い変更処理とは、色情報を、指定された色情報で示される色の濃淡で示されるように変更する処理である。また、色リセット処理とは、色情報を、元の色情報に戻す処理である。色置換処理では、例えば、色情報「（Ｒ，Ｇ，Ｂ）＝（１２８，２５５，６４）」を、色情報「（Ｒ，Ｇ，Ｂ）＝（２５５，６４，１２８）」に置換する。また、色合い変更処理では、例えば、色情報「（Ｒ，Ｇ，Ｂ）＝（１２８，２５５，６４）」を、色情報「（Ｒ，Ｇ，Ｂ）＝（１２８，０，０）」に変更する。また、色リセット処理では、例えば、色情報「（Ｒ，Ｇ，Ｂ）＝（１２８，２５５，６４）」が、色情報「（Ｒ，Ｇ，Ｂ）＝（１２８，０，０）」に変更されている場合において、当該色情報を、色情報「（Ｒ，Ｇ，Ｂ）＝（１２８，２５５，６４）」に戻す。
【００８９】
出力部１７は、ディスプレイやスピーカーなどの出力デバイスを含むと考えてもよいし、含まないと考えてもよい。出力部１７は、出力デバイスのドライバーソフトまたは、出力デバイスのドライバーソフトと出力デバイスなどで実現され得る。
【００９０】
次に、端末装置１の動作について説明する。なお、所定の情報におけるｉ番目の情報は、「情報［ｉ］」と記載するものとする。
【００９１】
図２は、端末装置１の全体動作を示すフローチャートである。
【００９２】
（ステップＳ２０１）受付部１３は、指示を受け付けたか否かを判断する。受け付けた場合は、ステップＳ２０２に進み、そうでない場合は、ステップＳ２０５に進む。
【００９３】
（ステップＳ２０２）受付部１３は、受け付けた指示が出力指示であるか否かを判断する。出力指示である場合は、ステップＳ２０３に進み、そうでない場合は、ステップＳ２０４に進む。
【００９４】
（ステップＳ２０３）受付部１３は、ステップＳ２０１で受け付けた出力指示に応じて、地図情報を出力し、ステップＳ２０１に戻る。
【００９５】
（ステップＳ２０４）端末装置１は、ステップＳ２０１で受け付けた指示に応じて、処理を行い、ステップＳ２０１に戻る。
【００９６】
（ステップＳ２０５）属性情報取得部１４は、属性情報の取得のタイミングであるか否かを判断する。取得のタイミングである場合は、ステップＳ２０６に進み、そうでない場合は、ステップＳ２０１に戻る。
【００９７】
（ステップＳ２０６）属性情報取得部１４は、属性情報を取得する。この処理の詳細は、図３のフローチャートを用いて説明する。
【００９８】
（ステップＳ２０７）判断部１５は、地図情報変更指示を取得する。この処理の詳細は、図４のフローチャートを用いて説明する。
【００９９】
（ステップＳ２０８）判断部１５は、ステップＳ２０７で地図情報変更指示が取得できたか否かを判断する。取得できた場合は、ステップＳ２０９に進み、そうでない場合は、ステップＳ２０１に戻る。
【０１００】
（ステップＳ２０９）制御部１６は、判断部１５が取得した地図情報変更指示を、出力部１７に送付する。
【０１０１】
（ステップＳ２１０）出力部１７は、制御部１６からの地図情報変更指示に従い、出力している地図情報を変更する。
【０１０２】
なお、図２のフローチャートにおいて、電源オフや処理終了の割り込みにより処理を終了してもよい。
【０１０３】
図３は、図２のフローチャートのステップＳ２０６の属性情報の取得処理を示すフローチャートである。
【０１０４】
（ステップＳ３０１）属性情報取得部１４は、ユーザ属性情報の取得のタイミングであるか否かを判断する。取得のタイミングである場合は、ステップＳ３０２に進み、そうでない場合は、ステップＳ３０３に進む。
【０１０５】
（ステップＳ３０２）属性情報取得部１４は、ユーザ属性情報を取得し、上位処理にリターンする。
【０１０６】
（ステップＳ３０３）属性情報取得部１４は、端末属性情報の取得のタイミングであるか否かを判断する。取得のタイミングである場合は、ステップＳ３０４に進み、そうでない場合は、上位処理にリターンする。
【０１０７】
（ステップＳ３０４）属性情報取得部１４は、端末属性情報を取得し、上位処理にリターンする。
【０１０８】
なお、図３のフローチャートにおいて、ユーザ属性情報、端末属性情報の両方について取得のタイミングであるか否かを判断し、取得のタイミングであると判断された情報のすべてを取得してもよい。
【０１０９】
図４は、図２のフローチャートのステップＳ２０７の地図情報変更指示の取得処理を示すフローチャートである。
【０１１０】
（ステップＳ４０１）判断部１５は、属性情報取得部１４が取得した属性情報を取得する。
【０１１１】
（ステップＳ４０２）判断部１５は、属性条件格納部１２に格納されている属性条件管理情報を取得する。ここで、ｍ個の属性条件管理情報が取得できたものとする。
【０１１２】
（ステップＳ４０３）判断部１５は、カウンタｉに１をセットする。
【０１１３】
（ステップＳ４０４）判断部１５は、ステップＳ４０１で取得した属性情報が、属性条件管理情報［ｉ］が有する属性条件に合致するか否かを判断する。合致する場合は、ステップＳ４０５に進み、そうでない場合は、ステップＳ４０６に進む。
【０１１４】
（ステップＳ４０５）判断部１５は、地図情報変更指示として、属性条件管理情報［ｉ］が有する地図情報変更指示を取得する。
【０１１５】
（ステップＳ４０６）判断部１５は、ｉがｍであるか否かを判断する。ｍである場合は、ステップＳ４０７に進み、そうでない場合は、上位処理にリターンする。
【０１１６】
（ステップＳ４０７）判断部１５は、ｉを１インクリメントし、ステップＳ４０４に戻る。
【０１１７】
なお、図４のフローチャートにおいて、ステップＳ４０５の処理の後に、上位処理にリターンしてもよい。つまり、地図情報変更指示が１つ取得できたら、上位処理にリターンしてもよい。
【０１１８】
（具体例）
次に、端末装置１の動作の具体例について説明する。なお、本具体例において、端末装置１は、携帯端末や、携帯電話、自動車に搭載されているナビゲーション装置（以下、カーナビ）であるものとする。また、属性条件格納部１２には、図５に示す属性条件管理情報が格納されているものとする。当該属性条件管理情報は、属性条件と、地図情報変更指示とを有する。また、携帯端末に出力される地図情報は、出力部１７が出力する地図情報であり、地図情報格納部１１に格納されているものとする。また、出力部１７が出力する地図情報は、特に説明のない限り、受付部１３が受け付けた出力指示に応じたものであるものとする。
【０１１９】
（例１）
まず、ユーザの操作により、性別情報「女性」が任意の記憶領域に格納されている携帯端末の電源がＯＮになったとする。すると、属性情報取得部１４は、属性情報の取得のタイミングであると判断し、属性情報「女性」を取得する。なお、このとき、属性情報取得基準情報により、属性情報は、「ユーザ属性：性別」、「変更後」と基準が定められていたものとする。また、電源ＯＮの直後は、図６に示す地図情報が出力されているものとする。
【０１２０】
まず、図６に示す地図情報が出力されている状態で、ユーザの操作により、携帯端末の任意の記憶領域に、「女性」が蓄積されたとする。すると、属性情報取得部１４は、属性情報の取得のタイミングであると判断し、属性情報「女性」を取得する。なお、このとき、属性情報取得基準情報により、属性情報は、「ユーザ属性：性別」、「変更後」と基準が定められていたものとする。
【０１２１】
次に、判断部１５は、属性情報取得部１４が取得した属性情報「女性」に合致する属性条件を、図５の属性条件管理情報から検索し、「ＩＤ＝０１１」の属性条件「性別＝（女性）」に合致すると判断する。そして、判断部１５は、図５の「ＩＤ＝０１１」の地図情報変更指示「道路色変更，ソフト」を取得する。
【０１２２】
次に、制御部１６は、判断部１５が取得した地図情報変更指示「道路色変更，ソフト」を、出力部１７に送付する。その結果、出力部１７は、図６の地図情報が有する道路情報の色情報を、「ソフト」を示す色情報に変更し、図７に示す地図情報を出力する。
【０１２３】
また、携帯端末に図６に示す地図情報が出力されている状態で、ユーザの操作により、携帯端末の任意の記憶領域に、「男性」が蓄積されたとする。すると、前述と同様に、属性情報取得部１４は、属性情報「男性」を取得し、判断部１５は、図５の「ＩＤ＝０１２」の地図情報変更指示「道路色変更，ブライト」を取得し、制御部１６は、当該地図情報変更指示「地図色変更，ブライト」を出力部１７に送付する。そして、出力部１７は、出力している地図情報が有する道路情報の色情報を、「ブライト」を示す色情報に変更し、図８に示す地図情報を出力する。
【０１２４】
また、携帯端末に図６に示す地図情報が出力されている状態で、ユーザの操作により、携帯端末の任意の記憶領域に、「２０代」が蓄積されたとする。すると、前述と同様に、属性情報取得部１４は、属性情報「２０代」を取得し、判断部１５は、図５の「ＩＤ＝０１３」の地図情報変更指示「地点名表示，コンビニ」を取得し、制御部１６は、当該地図情報変更指示「地点名表示，コンビニ」を出力部１７に送付する。そして、出力部１７は、出力している地図情報が有する地点情報であって、地点識別子が「コンビニ」である地点情報のみを表示し、図９に示す地図情報を出力する。
【０１２５】
また、携帯端末に図６に示す地図情報が出力されている状態で、ユーザの操作により、携帯端末の任意の記憶領域に、「５０代」が蓄積されたとする。すると、前述と同様に、属性情報取得部１４は、属性情報「５０代」を取得し、判断部１５は、図５の「ＩＤ＝０１４」の地図情報変更指示「地点名表示，温泉，寺院」を取得し、制御部１６は、当該地図情報変更指示「地点名表示，温泉，寺院」を出力部１７に送付する。そして、出力部１７は、出力している地図情報が有する地点情報であって、地点識別子が「温泉」、または「寺院」である地点情報のみを表示し、図１０に示す地図情報を出力する。
【０１２６】
（例２）
まず、ユーザの操作により、解像度「２００×３２０」の画面を持つ携帯端末の電源がＯＮになったとする。すると、属性情報取得部１４は、属性情報の取得のタイミングであると判断し、属性情報「２００×３２０」を取得する。なお、このとき、属性情報取得基準情報により、属性情報は、「端末属性：画面解像度」、「起動直後」と基準が定められていたものとする。また、電源ＯＮの直後は、図６に示す地図情報が出力されているものとする。
【０１２７】
次に、判断部１５は、属性情報取得部１４が取得した属性情報「２００×３２０」に合致する属性条件を、図５の属性条件管理情報から検索し、「ＩＤ＝０２３」の属性条件「画面解像度≦（２４０×３６０）」に合致すると判断する。そして、判断部１５は、図５の「ＩＤ＝０２３」の地図情報変更指示「地点名表示，なし」を取得する。
【０１２８】
次に、制御部１６は、判断部１５が取得した地図情報変更指示「地点名表示，なし」を、出力部１７に送付する。その結果、出力部１７は、図６の地図情報が有する地点情報を非表示にし、図６に示す地図情報を出力する。
【０１２９】
また、携帯端末に図６に示す地図情報が出力されている状態で、ユーザの操作により、携帯端末の任意の記憶領域に、「３６０×４８０」が蓄積されたとする。すると、前述と同様に、属性情報取得部１４は、属性情報「３６０×４８０」を取得し、判断部１５は、図５の「ＩＤ＝０２４」の地図情報変更指示「地点名表示，あり」を取得し、制御部１６は、当該地図情報変更指示「地点名表示，あり」を出力部１７に送付する。そして、出力部１７は、出力している地図情報が有する地点情報を表示し、図１１に示す地図情報を出力する。
【０１３０】
また、ユーザの操作により、携帯電話の電源がＯＮになったとする。すると、前述と同様に、属性情報取得部１４は、属性情報「携帯電話」を取得し、判断部１５は、図５の「ＩＤ＝０２５」の地図情報変更指示「道路色変更，簡略」を取得し、制御部１６は、当該地図情報変更指示「道路色変更，簡略」を出力部１７に送付する。そして、出力部１７は、出力している地図情報が有する道路情報の色情報を、「簡略」を示す色情報に変更し、図１２に示す地図情報を出力する。
【０１３１】
また、ユーザの操作により、カーナビの電源がＯＮになったとする。すると、前述と同様に、属性情報取得部１４は、属性情報「カーナビ」を取得し、判断部１５は、図５の「ＩＤ＝０２６」の地図情報変更指示「道路色変更，通常」を取得し、制御部１６は、当該地図情報変更指示「道路色変更，通常」を出力部１７に送付する。そして、出力部１７は、出力している地図情報が有する道路情報の色情報を、「通常」を示す色情報に変更し、図１３に示す地図情報を出力する。
【０１３２】
なお、本具体例では、一の属性情報に対し、一の地図情報変更指示を取得する例を示したが、一の属性情報に対し、２以上の地図情報変更指示を取得してもよい。この場合、出力部１７は、当該２以上の地図情報変更指示により示される変更を、出力している地図情報に施す。
【０１３３】
以上、本実施の形態による端末装置１によれば、属性（ユーザの属性、端末の属性）に応じて、適切に地図情報を変更することができる。
【０１３４】
なお、上記実施の形態における端末装置１は、例えば、位置情報や、方位情報などに応じて、地図情報を変更してもよい。また、上記実施の形態における端末装置１は、例えば、地図情報の色を変更してもよいし、道路情報の表示または非表示を変更してもよい。例えば、端末装置１は、端末装置１の進行方向ある地点情報のみを表示してもよいし、端末装置１が移動中の道路を示す道路情報のみを表示してもよいし、端末装置１が移動中の道路を示す道路情報のみの色を変更してもよい。
【０１３５】
また、上記実施の形態における端末装置は、例えば、スタンドアロンの装置であってもよい。
【０１３６】
また、上記実施の形態において、各処理または各機能は、単一の装置または単一のシステムによって集中処理されることによって実現されてもよいし、あるいは、複数の装置または複数のシステムによって分散処理されることによって実現されてもよい。
【０１３７】
また、上記実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１３８】
また、上記実施の形態における端末装置を実現するソフトウェアは、以下のようなプログラムである。つまり、このプログラムは、記録媒体に、地図に関する情報である地図情報と、ユーザの属性に関する条件、または端末装置の属性に関する条件である属性条件とが格納されており、地図情報を出力する指示である出力指示を受け付ける受付ステップと、前記出力指示に応じて、前記地図情報を取得し、出力する出力ステップと、ユーザの属性に関する情報、または端末装置の属性に関する情報である属性情報を取得する属性情報取得ステップと、前記属性情報が前記属性条件に合致するか否かを判断する判断ステップと、前記属性情報が前記属性条件に合致すると前記判断部が判断した場合に、前記出力部が出力している地図情報を、前記属性条件に対応するように変更するように指示する制御部として機能させるためのプログラムであって、前記出力部は、前記制御部の指示に従って、前記出力している地図情報の出力を変更するプログラムである。
【０１３９】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１４０】
また、上記プログラムを実行するコンピュータは、単数であってもよいし、複数であってもよい。つまり、集中処理を行ってもよいし、あるいは分散処理を行ってもよい。
【０１４１】
また、図１４は、前述のプログラムを実行して、前述の実施の形態の端末装置等を実現するコンピュータシステム９の概観図である。前述の実施の形態は、コンピュータハードウェア及びその上で実行されるコンピュータプログラムで実現され得る。
【０１４２】
図１４において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０１４３】
図１５は、コンピュータシステム９のブロック図である。図１５において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０１４４】
コンピュータシステム９に、前述の実施の形態の端末装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１４５】
プログラムは、コンピュータ９０１に、前述の実施の形態の端末装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１４６】
本発明は、以上の実施の形態に限定されることなく、種々の変更が可能であり、それらも本発明の範囲内に包含されるものであることは言うまでもない。
【産業上の利用可能性】
【０１４７】
以上のように、本発明にかかる端末装置は、装置を使用するユーザの属性や、装置の属性に応じて、地図の表示を適切に変更することができる。また、これにより、例えば、ユーザの嗜好や、装置の性能に合ったナビゲーションを行うことができるという効果を有し、端末装置等として有用である。
【符号の説明】
【０１４８】
１  端末装置
１１  地図情報格納部
１２  属性条件格納部
１３  受付部
１４  属性情報取得部
１５  判断部
１６  制御部
１７  出力部
【図１】
0005832764.tif 000002
【図２】
0005832764.tif 000003
【図３】
0005832764.tif 000004
【図４】
0005832764.tif 000005
【図５】
0005832764.tif 000006
【図６】
0005832764.tif 000007
【図７】
0005832764.tif 000008
【図８】
0005832764.tif 000009
【図９】
0005832764.tif 000010
【図１０】
0005832764.tif 000011
【図１１】
0005832764.tif 000012
【図１２】
0005832764.tif 000013
【図１３】
0005832764.tif 000014
【図１４】
0005832764.tif 000015
【図１５】
0005832764.tif 000016